(57)【特許請求の範囲】
【請求項１】
人体検知手段と、該人体検知手段からの人体検知信号に基づいて音声を発生させる音声発生装置とを有する発声機能を有するトイレ装置において、
該音声発生装置は商用電源に接続されるトイレ機器に設けられており、
該音声発生装置は、商用電源の周波数に基づいて演算された時刻を音声として発生させる発声機能を有するトイレ装置であって、
該トイレ機器を操作するためのリモコンが設けられており、
該リモコンには、時刻の表示部と、時刻の入力手段と、時刻の演算手段と、表示された時刻を該トイレ機器に送信するための送信手段とが設けられていることを特徴とする発声機能を有するトイレ装置。
【請求項２】
請求項１において、前記トイレ機器は、演算された時刻をリモコンに送信する送信手段が設けられており、
該リモコンには、この送信されてきた時刻信号の受信手段と、この受信手段で受信された時刻信号に基づいて表示時刻を補正する手段とが設けられていることを特徴とする発声機能を有するトイレ装置。
【発明の詳細な説明】
【０００１】
【発明の属する技術分野】
本発明は発声機能を有するトイレ装置に係り、特に好ましくは時刻を音声で発生させるトイレ装置に関する。
【０００２】
【従来の技術】
音声発生装置を有したトイレ装置として、特開平６−６３０７０号公報にはトイレルームに近付いた使用者がセンサで検知されると、誘導用の音声を発生させるシステムが記載されているが、時刻を音声で知らせることについての開示はない。
【０００３】
時刻を衛生洗浄装置のリモコンの液晶表示部に表示させることは周知である。また、温水洗浄装置を組み込んだ便座ボックスに、温水洗浄装置の操作スイッチと共に時刻表示用の液晶部を設けることもある。
【０００４】
【発明が解決しようとする課題】
従来の時刻表示用の液晶部は比較的小さいため、弱視や近視の人には見にくいことがある。また、トイレルーム内の照度や直射光線等の具合によっても見にくいことがある。さらに、便座ボックスに設けた液晶部を見るためには、便座着座者が上半身をひねって見る必要があり、やはり見にくいことがある。
【０００５】
本発明は、このような短所に鑑み、音声にて時刻を知ることができるトイレ設備を提供することを目的とする。
【０００６】
【課題を解決するための手段】
本発明の発声機能を有するトイレ装置は、人体検知手段と、該人体検知手段からの人体検知信号に基づいて音声を発生させる音声発生装置とを有する発声機能を有するトイレ装置において、該音声発生装置は商用電源に接続されるトイレ機器に設けられており、該音声発生装置は、商用電源の周波数に基づいて演算された時刻を音声として発生させる発声機能を有するトイレ装置であって、該トイレ機器を操作するためのリモコンが設けられており、該リモコンには、時刻の表示部と、時刻の入力手段と、時刻の演算手段と、表示された時刻を該トイレ機器に送信するための送信手段とが設けられていることを特徴とするものである。
【０００７】
かかる発声機能を有するトイレ装置にあっては、時刻が自動的に発生されるので、リモコンの液晶をのぞき見ることなく時刻を知ることができ、便利である。
【０００８】
本発明では、トイレ機器としては衛生洗浄装置（人体臀部を温水で洗浄する装置）を備えた便座装置が好適である。この場合、音声発生装置はこのトイレ機器に設けられており、商用電源の周波数に基づいて時刻を演算するものであることが好ましい。
【０００９】
この商用電源の周波数に基づく時刻演算はきわめて精度が高く、月差も殆ど生じない。
【００１０】
このトイレ機器を操作するためのリモコンに時刻の表示部と、時刻の入力手段と、時刻の演算手段と、表示された時刻を該トイレ機器に送信するための送信手段とを設ける。このようにすれば、リモコンからトイレ機器に時刻信号を与えて時刻の初期設定を行うことができる。
【００１１】
前記の通り、商用電源の周波数に基づく時刻演算はきわめて高精度であるので、初期設定後、例えば定期的にトイレ機器からリモコンに時刻を送信し、リモコンの表示時刻を補正することが好ましい。
【００１２】
本発明にあっては、例えば人体を検知したときに挨拶音声を発生させるよう構成してもよい。
【００１３】
【発明の実施の形態】
以下、図面を参照して実施の形態を詳細に説明する。第１図は実施の形態に係るトイレ設備の制御ブロック図、第２図（ａ）はこの実施の形態に係る便座ボックス付き洋風便器を示す斜視図であり、第２図（ｂ）はそのスイッチパネルの平面図である。
【００１４】
この便座ボックス１０は、洋風便器１１の便鉢の後部上面に設置される本体１２と、本体１２から張り出す張出部１３とを有し、この張出部１３の上面にスイッチパネル（銘板）１４が設けられている。
【００１５】
便座ボックス本体１２には、洗浄ノズル１５，１６及び温風乾燥ファン（図示略）等が設けられている。また、この本体１２には、便座１７、便蓋１８が上下方向に回動可能に取り付けられている。１９は洋風便器１１の最後部上面に設置されたロータンクを示す。
【００１６】
張出部上面のスイッチパネル１４には、第２図（ｂ）に示す如く、肛門洗浄（シャワー洗浄）、ビデ洗浄、温風乾燥等の作動をストップさせるストップスイッチ２０、肛門洗浄用操作スイッチ２１、ビデ洗浄用操作スイッチ２２、温風を吹き出させるドライスイッチ２３、洗浄の広がりを調整するためのワイド洗浄入／切スイッチ２４、洗浄位置前進スイッチ２５、その後退スイッチ２６、便座の温度を調整するための便座温度調節スイッチ２７、洗浄強さを調整するダイヤル２８、シャワー等の水温を調整する温水温度調節スイッチ３０等が配置されている。
【００１７】
さらに、このスイッチパネル１４には、時刻を表示する液晶部４と、音声発生用スピーカ５等が設けられている。
【００１８】
この便座ボックスから引き出された電源コード３２のプラグ３１が商用電源１のコンセント３３に差し込まれている。
トイレルームの壁面にはリモコン４０が設けられている。このリモコン４０には前記スイッチ２０〜２７，３０と同様のスイッチが設けられると共に、時刻表示可能な液晶等よりなる表示部４１が設けられている。さらに、リモコン４０には現在時刻の設定ボタン４２，４３と、時刻信号出力ボタン４４とが設けられている。
【００１９】
前記便座ボックス１０又は便座１７には、第１図の通り、便座１７への着座を検知する着座センサ２が設けられている。この着座センサ２は、荷重検知法式のものや静電容量変化型のものなどの各種のものを用いることができる。
【００２０】
この着座センサ２と、リモコン４０からの信号光の受信装置６とが便座ボックス１０内の制御回路３に接続されている。この制御回路３には商用電源１の周波数に基づいて時刻を演算するクロック機能も搭載されており、現在時刻が常に計時されている。
【００２１】
この制御回路３は、前記液晶部４に現在時刻を表示させ、スピーカ５に時刻音声信号を出力可能としていると共に、発信装置７からリモコン４０に向って定期的に時刻信号光を発信させる。
【００２２】
このように構成されたトイレ設備において、着座センサ２が着座を検知すると、スピーカ５が時刻音声（例えば「１０時２３分」）を発生する。
便座ボックス１０を便器１１に初めて据え付けてプラグ３１をコンセント３３に差し込んだり、一度抜いたプラグ３１を改めてコンセント３３に差し込んだり、あるいは停電終了後などにあっては、リモコン４０の時刻発信ボタン４４を押す。そうすると、リモコン４０から時刻信号が受信装置６を介して制御回路３に与えられ、現在時刻が制御回路３に設定される。なお、制御回路３が不揮発性メモリを備えているときには、時刻は一度設定すれば足りる。
【００２３】
時刻を初期設定した後は、制御回路３は商用電源１の電源周波数に基づいて時刻を計時する。この電源周波数に基づく計時はきわめて精度が高いので、リモコン４０による初期設定時刻さえ正しい時刻としておけば、後は修正は実質的に不要である。
【００２４】
この実施の形態にあっては、制御回路３は定期的（例えば１日又は１週間に１回）時刻信号を発信装置７からリモコン４０に向けて発信し、リモコン４０の計時時刻を補正する。これは、商用電源の周波数に基づく本体側制御回路３の時刻の方が精度が高いからである。
【００２５】
本発明では、着座センサ２の検知信号に基づいて「お早うございます」「今晩は」などの挨拶音声を発生させるようにしてもよい。
【００２６】
本発明では、着座センサ２の代わりに便座１１への人体の接近を検知するセンサやトイレルームへの入室を検知するセンサを用いてもよい。
【００２７】
本発明は、衛生洗浄装置以外のトイレ装置にも適用できる。
【００２８】
【発明の効果】
以上の通り、本発明のトイレ設備によると時刻を音声で知ることができ、きわめて便利である。また、時刻をきわめて正確に計時できると共に、リモコンの表示時刻の精度を自動的に高めるよう構成することも可能である。
【図面の簡単な説明】
【図１】実施の形態に係るトイレ設備を示すブロック図である。
【図２】（ａ）図は、実施の形態に係るトイレ設備としての温水洗浄装置付き洋風便器の斜視図であり、（ｂ）図は温水洗浄装置のスイッチパネルの平面図である。
【符号の説明】
１  商用電源
２  着座センサ
３  制御回路
４  液晶部
５  スピーカ
６  受信装置
７  発信装置
１０  便座ボックス
１１  洋風便器
１２  便座ボックス本体
１３  張出部
１４  スイッチパネル
１５  洗浄ノズル
１７  便座
１８  便蓋
１９  ロータンク
２０  ストップスイッチ
２１，２２  洗浄用操作スイッチ
２３  ドライスイッチ
４０  リモコン
４１  表示部
４２，４３  時刻設定ボタン
４４  時刻信号出力ボタン
【図１】
0004250853.tif 000002
【図２】
0004250853.tif 000003